(57)【要約】  本願の実施例はデータ伝送方法、端末装置及びネットワーク機器を開示し、該方法は、端末装置が、ネットワーク機器から送信された第１指示情報を受信し、該第１指示情報は少なくとも１つの無線ベアラＲＢのうちの各ＲＢがデータコピー伝送機能をイネーブルするかどうかを示すことに用いられることと、該端末装置が該第１指示情報に基づき、該ネットワーク機器へデータを送信することと、を含む。本願の実施例の方法、端末装置及びネットワーク機器は、データ伝送柔軟性の向上に役立つ。
2020529751.tif 000002
【特許請求の範囲】
【請求項１】
データ伝送方法であって、
端末装置が、ネットワーク機器から送信された第１指示情報を受信し、前記第１指示情報は少なくとも１つの無線ベアラＲＢのうちの各ＲＢがデータコピー伝送機能をイネーブルするかどうかを示すことに用いられることと、
前記端末装置が前記第１指示情報に基づき、前記ネットワーク機器へデータを送信することと、を含むことを特徴とするデータ伝送方法。
【請求項２】
前記端末装置がネットワーク機器から送信された第１指示情報を受信することは、
前記端末装置が、前記ネットワーク機器がメディアアクセス制御ＭＡＣ制御要素ＣＥを介して送信した前記第１指示情報を受信することを含むことを特徴とする請求項１に記載の方法。
【請求項３】
前記第１指示情報は前記各ＲＢの識別子を含んで、前記各ＲＢの識別子は対応するＲＢが前記データコピー伝送機能をイネーブルすることを示すことに用いられ、又は、前記各ＲＢの識別子は対応するＲＢが前記データコピー伝送機能の利用を停止することを示すことに用いられることを特徴とする請求項１又は２に記載の方法。
【請求項４】
前記第１指示情報がビットマップであり、前記ビットマップにおける各ビットが前記各ＲＢに１対１に対応し、前記各ビットの値は対応するＲＢがデータコピー伝送機能をイネーブルするかどうかを示すことを特徴とする請求項１又は２に記載の方法。
【請求項５】
前記端末装置が前記第１指示情報に基づき、前記ネットワーク機器へデータを送信することは、
前記端末装置が、前記第１指示情報に基づき、前記少なくとも１つのＲＢのうちの第１ＲＢが前記データコピー伝送機能をイネーブルすると決定することと、
前記端末装置が前記第１ＲＢに対応するパケットデータ収束プロトコルＰＤＣＰエンティティに対応する複数の論理チャネルを介して、前記ネットワーク機器へコピーデータを送信することと、を含むことを特徴とする請求項１〜４のいずれか１項に記載の方法。
【請求項６】
前記端末装置が前記第１ＲＢに対応するパケットデータ収束プロトコルＰＤＣＰエンティティに対応する複数の論理チャネルを介して、前記ネットワーク機器へコピーデータを送信する前に、前記方法は、更に、
前記ＰＤＣＰエンティティが１つのみの論理チャネルに対応する場合、前記端末装置が前記コピーデータを伝送するための他の少なくとも１つの論理チャネルを示すための第２指示情報を受信することを含むことを特徴とする請求項５に記載の方法。
【請求項７】
前記端末装置が前記第１指示情報に基づき、前記ネットワーク機器へデータを送信することは、
前記端末装置が、前記第１指示情報に基づき、前記少なくとも１つのＲＢのうちの第１ＲＢが前記データコピー伝送機能の利用を停止すると決定することと、
前記端末装置が前記第１ＲＢに対応するＰＤＣＰエンティティに対応する論理チャネルを介して、前記ネットワーク機器へコピーデータ以外のデータを送信することと、を含むことを特徴とする請求項１〜４のいずれか１項に記載の方法。
【請求項８】
前記端末装置が前記第１ＲＢに対応するＰＤＣＰエンティティに対応する論理チャネルを介して、前記ネットワーク機器へコピーデータ以外のデータを送信することは、
前記ＰＤＣＰエンティティが複数の論理チャネルに対応する場合、前記端末装置が前記ネットワーク機器から送信された、前記複数の論理チャネルのうちのデータを伝送するための第１論理チャネルを示すための第２指示情報を受信することと、
前記端末装置が前記第１論理チャネルを介して前記ネットワーク機器へ前記コピーデータ以外のデータを送信することと、を含むことを特徴とする請求項７に記載の方法。
【請求項９】
前記端末装置が前記第１ＲＢに対応するＰＤＣＰエンティティに対応する論理チャネルを介して、前記ネットワーク機器へコピーデータ以外のデータを送信することは、
前記ＰＤＣＰエンティティが複数の論理チャネルに対応する場合、前記端末装置が前記ネットワーク機器から送信された、前記複数の論理チャネルのうちのデータを伝送するためではない第１論理チャネルを示すための第２指示情報を受信することと、
前記端末装置が前記複数の論理チャネルのうちの前記第１論理チャネル以外の第２論理チャネルを介して、前記ネットワーク機器へ前記コピーデータ以外のデータを送信することと、を含むことを特徴とする請求項７に記載の方法。
【請求項１０】
前記少なくとも１つのＲＢがデータ無線ベアラＤＲＢ及び／又はシグナリング無線ベアラＳＲＢを含むことを特徴とする請求項１〜９のいずれか１項に記載の方法。
【請求項１１】
データ伝送方法であって、
ネットワーク機器が第１指示情報を端末装置に送信し、前記第１指示情報は少なくとも１つの無線ベアラＲＢのうちの各ＲＢがデータコピー伝送機能をイネーブルするかどうかを示すことに用いられることと、
前記ネットワーク機器が前記少なくとも１つのＲＢを介して前記端末装置から送信されたデータを受信することと、を含むことを特徴とするデータ伝送方法。
【請求項１２】
前記ネットワーク機器が端末装置へ第１指示情報を送信することは、
前記ネットワーク機器がメディアアクセス制御ＭＡＣ制御要素ＣＥを介して前記端末装置へ前記第１指示情報を送信することを含むことを特徴とする請求項１１に記載の方法。
【請求項１３】
前記第１指示情報は前記各ＲＢの識別子を含んで、前記各ＲＢの識別子は対応するＲＢが前記データコピー伝送機能をイネーブルすることを示すことに用いられ、又は、前記各ＲＢの識別子は対応するＲＢが前記データコピー伝送機能の利用を停止することを示すことに用いられることを特徴とする請求項１１又は１２に記載の方法。
【請求項１４】
前記第１指示情報がビットマップであり、前記ビットマップにおける各ビットが前記各ＲＢに１対１に対応し、前記各ビットの値は対応するＲＢがデータコピー伝送機能をイネーブルするかどうかを示すことを特徴とする請求項１１又は１２に記載の方法。
【請求項１５】
前記第１指示情報は前記少なくとも１つのＲＢのうちの第１ＲＢが前記データコピー伝送機能をイネーブルすることを示すことに用いられ、前記ネットワーク機器が前記少なくとも１つのＲＢを介して前記端末装置から送信されたデータを受信することは、
前記ネットワーク機器が前記第１ＲＢに対応するパケットデータ収束プロトコルＰＤＣＰエンティティに対応する複数の論理チャネルを介して、前記端末装置から送信されたコピーデータを受信することを含むことを特徴とする請求項１１〜１４のいずれか１項に記載の方法。
【請求項１６】
前記方法は、更に、
前記ＰＤＣＰエンティティが１つのみの論理チャネルに対応する場合、前記ネットワーク機器がコピーデータを伝送するための他の少なくとも１つの論理チャネルを示すための第２指示情報を前記端末装置に送信することを含むことを特徴とする請求項１５に記載の方法。
【請求項１７】
前記第１指示情報は前記少なくとも１つのＲＢのうちの第１ＲＢが前記データコピー伝送機能の利用を停止することを示すことに用いられ、前記ネットワーク機器が前記少なくとも１つのＲＢを介して前記端末装置から送信されたデータを受信することは、
前記ネットワーク機器が前記第１ＲＢに対応するＰＤＣＰエンティティに対応する論理チャネルを介して、前記端末装置から送信されたコピーデータ以外のデータを受信することを含むことを特徴とする請求項１１〜１４のいずれか１項に記載の方法。
【請求項１８】
前記方法は、更に、
前記ＰＤＣＰエンティティが複数の論理チャネルに対応する場合、前記ネットワーク機器が前記複数の論理チャネルのうちのデータを伝送するための第１論理チャネル又は前記複数の論理チャネルのうちのデータを伝送するためではない第２論理チャネルを示すための第２指示情報を前記端末装置に送信することを含むことを特徴とする請求項１７に記載の方法。
【請求項１９】
前記少なくとも１つのＲＢがデータ無線ベアラＤＲＢ及び／又はシグナリング無線ベアラＳＲＢを含むことを特徴とする請求項１１〜１８のいずれか１項に記載の方法。
【請求項２０】
端末装置であって、
ネットワーク機器から送信された、少なくとも１つの無線ベアラＲＢのうちの各ＲＢがデータコピー伝送機能をイネーブルするかどうかを示すための第１指示情報を受信するための第１受信ユニットと、
前記第１指示情報に基づき、前記ネットワーク機器へデータを送信するための送信ユニットと、を備えることを特徴とする端末装置。
【請求項２１】
前記第１受信ユニットは、具体的に、
前記ネットワーク機器がメディアアクセス制御ＭＡＣ制御要素ＣＥを介して送信した前記第１指示情報を受信することに用いられることを特徴とする請求項２０に記載の端末装置。
【請求項２２】
前記第１指示情報は前記各ＲＢの識別子を含んで、前記各ＲＢの識別子は対応するＲＢが前記データコピー伝送機能をイネーブルすることを示すことに用いられ、又は、前記各ＲＢの識別子は対応するＲＢが前記データコピー伝送機能の利用を停止することを示すことに用いられることを特徴とする請求項２０又は２１に記載の端末装置。
【請求項２３】
前記第１指示情報がビットマップであり、前記ビットマップにおける各ビットが前記各ＲＢに１対１に対応し、前記各ビットの値は対応するＲＢがデータコピー伝送機能をイネーブルするかどうかを示すことを特徴とする請求項２０又は２１に記載の端末装置。
【請求項２４】
前記送信ユニットは、具体的に、
前記第１指示情報に基づき、前記少なくとも１つのＲＢのうちの第１ＲＢが前記データコピー伝送機能をイネーブルすると決定し、
前記第１ＲＢに対応するパケットデータ収束プロトコルＰＤＣＰエンティティに対応する複数の論理チャネルを介して、前記ネットワーク機器へコピーデータを送信することに用いられることを特徴とする請求項２０〜２３のいずれか１項に記載の端末装置。
【請求項２５】
前記端末装置は、更に、
前記ＰＤＣＰエンティティが１つのみの論理チャネルに対応する場合、前記コピーデータを伝送するための他の少なくとも１つの論理チャネルを示すための第２指示情報を受信するための第２受信ユニットを備えることを特徴とする請求項２４に記載の端末装置。
【請求項２６】
前記送信ユニットは、具体的に、
前記第１ＲＢに対応するＰＤＣＰエンティティに対応する論理チャネルを介して、前記ネットワーク機器へコピーデータ以外のデータを送信することに用いられることを特徴とする請求項２０〜２３のいずれか１項に記載の端末装置。
【請求項２７】
前記送信ユニットは、具体的に、
前記ＰＤＣＰエンティティが複数の論理チャネルに対応する場合、前記端末装置が前記ネットワーク機器から送信された、前記複数の論理チャネルのうちのデータを伝送するための第１論理チャネルを示すための第２指示情報を受信し、
前記第１論理チャネルを介して、前記ネットワーク機器へ前記コピーデータ以外のデータを送信することに用いられる請求項２６に記載の端末装置。
【請求項２８】
前記送信ユニットは、具体的に、
前記ＰＤＣＰエンティティが複数の論理チャネルに対応する場合、前記ネットワーク機器から送信された、前記複数の論理チャネルのうちのデータを伝送するためではない第１論理チャネルを示すための第２指示情報を受信し、
前記複数の論理チャネルのうちの前記第１論理チャネル以外の第２論理チャネルを介して、前記ネットワーク機器へ前記コピーデータ以外のデータを送信することに用いられることを特徴とする請求項２６に記載の端末装置。
【請求項２９】
前記少なくとも１つのＲＢがデータ無線ベアラＤＲＢ及び／又はシグナリング無線ベアラＳＲＢを含むことを特徴とする請求項２０〜２８のいずれか１項に記載の端末装置。
【請求項３０】
ネットワーク機器であって、
少なくとも１つの無線ベアラＲＢのうちの各ＲＢがデータコピー伝送機能をイネーブルするかどうかを示すための第１指示情報を端末装置に送信するための第１送信ユニットと、
前記少なくとも１つのＲＢを介して前記端末装置から送信されたデータを受信するための受信ユニットと、を備えることを特徴とするネットワーク機器。
【請求項３１】
前記第１送信ユニットは、具体的に、
メディアアクセス制御ＭＡＣ制御要素ＣＥを介して前記端末装置へ前記第１指示情報を送信することに用いられることを特徴とする請求項３０に記載のネットワーク機器。
【請求項３２】
前記第１指示情報は前記各ＲＢの識別子を含んで、前記各ＲＢの識別子は対応するＲＢが前記データコピー伝送機能をイネーブルすることを示すことに用いられ、又は、前記各ＲＢの識別子は対応するＲＢが前記データコピー伝送機能の利用を停止することを示すことに用いられることを特徴とする請求項３０又は３１に記載のネットワーク機器。
【請求項３３】
前記第１指示情報がビットマップであり、前記ビットマップにおける各ビットが前記各ＲＢに１対１に対応し、前記各ビットの値は対応するＲＢがデータコピー伝送機能をイネーブルするかどうかを示すことを特徴とする請求項３０又は３１に記載のネットワーク機器。
【請求項３４】
前記第１指示情報は前記少なくとも１つのＲＢのうちの第１ＲＢが前記データコピー伝送機能をイネーブルすることを示すことに用いられ、前記受信ユニットは、具体的に、
前記第１ＲＢに対応するパケットデータ収束プロトコルＰＤＣＰエンティティに対応する複数の論理チャネルを介して、前記端末装置から送信されたコピーデータを受信することに用いられることを特徴とする請求項３０〜３３のいずれか１項に記載のネットワーク機器。
【請求項３５】
前記ネットワーク機器は、更に、
前記ＰＤＣＰエンティティが１つのみの論理チャネルに対応する場合、コピーデータを伝送するための他の少なくとも１つの論理チャネルを示すための第２指示情報を前記端末装置に送信するための第２送信ユニットを備えることを特徴とする請求項３４に記載のネットワーク機器。
【請求項３６】
前記受信ユニットは、具体的に、
前記第１ＲＢに対応するＰＤＣＰエンティティに対応する論理チャネルを介して、前記端末装置から送信されたコピーデータ以外のデータを受信することに用いられることを特徴とする請求項３０〜３３のいずれか１項に記載のネットワーク機器。
【請求項３７】
前記ネットワーク機器は、更に、
前記ＰＤＣＰエンティティが複数の論理チャネルに対応する場合、前記複数の論理チャネルのうちのデータを伝送するための第１論理チャネル又は前記複数の論理チャネルのうちのデータを伝送するためではない第２論理チャネルを示すための第２指示情報を前記端末装置に送信するための第２送信ユニットを備えることを特徴とする請求項３６に記載のネットワーク機器。
【請求項３８】
前記少なくとも１つのＲＢがデータ無線ベアラＤＲＢ及び／又はシグナリング無線ベアラＳＲＢを含むことを特徴とする請求項３０〜３７のいずれか１項に記載のネットワーク機器。
【発明の詳細な説明】
【技術分野】
【０００１】
本願の実施例は通信分野に関し、より具体的に、データ伝送方法、端末装置及びネットワーク機器に関する。
【背景技術】
【０００２】
キャリアアグリゲーションシーンにおいて、パケットデータコンバージェンスプロトコル（ＰＤＣＰ：Ｐａｃｋｅｔ  Ｄａｔａ  Ｃｏｎｖｅｒｇｅｎｃｅ  Ｐｒｏｔｏｃｏｌ）はデータコピー機能をサポートし、すなわち、１つのＰＤＣＰプロトコルデータユニット（ＰＤＵ：Ｐｒｏｔｏｃｏｌ  Ｄａｔａ  Ｕｎｉｔ）を２つ（複数である可能性がある）にコピーすることにより、データ伝送信頼性を向上させることができる。従来技術において、ＰＤＣＰデータコピー伝送機能のデフォルト状態を直接利用してデータ伝送を行うことが柔軟性に欠ける。
【発明の概要】
【発明が解決しようとする課題】
【０００３】
これに鑑みて、本願の実施例はデータ伝送柔軟性の向上に役立つデータ伝送方法、端末装置及びネットワーク機器を提供する。
【課題を解決するための手段】
【０００４】
第１態様はデータ伝送方法を提供し、端末装置が、ネットワーク機器から送信された第１指示情報を受信し、該第１指示情報は少なくとも１つの無線ベアラＲＢのうちの各ＲＢがデータコピー伝送機能をイネーブルするかどうかを示すことに用いられることと、該端末装置が該第１指示情報に基づき、該ネットワーク機器へデータを送信することと、を含む。
【０００５】
ネットワーク機器は端末装置のどのＲＢがデータコピー伝送機能をイネーブルするかどうかを指示することにより、データ伝送柔軟性の向上に役立つ。
【０００６】
選択肢として、本願の実施例案はアップリンクデータ伝送シーンに適用されるだけでなく、端末装置対端末装置（Ｄ２Ｄ：Ｄｅｖｉｃｅ−ｔｏ−Ｄｅｖｉｃｅ）通信シーンにも適用される。
【０００７】
無線ベアラ（ＲＢ：Ｒａｄｉｏ  Ｂｅａｒｅｒ）はネットワーク機器がユーザー装置に割り当てた一連のプロトコルエンティティ及び設定の総称であり、ＰＤＣＰプロトコルエンティティ、無線リンク制御（ＲＬＣ：Ｒａｄｉｏ  Ｌｉｎｋ  Ｃｏｎｔｒｏｌ）プロトコルエンティティ、並びにメディアアクセス制御（ＭＡＣ：Ｍｅｄｉａ  Ａｃｃｅｓｓ  Ｃｏｎｔｒｏｌ）プロトコルエンティティ及び物理層ＰＨＹに割り当てられた一連のリソース等を含む。ＲＢはシグナリング無線ベアラ（ＳＲＢ：Ｓｉｇｎａｌｌｉｎｇ  Ｒａｄｉｏ  Ｂｅａｒｅｒ）及びデータ無線ベアラ（ＤＲＢ：Ｄａｔａ  Ｒａｄｉｏ  Ｂｅａｒｅｒ）を含み、ＳＲＢはシステムのシグナリングメッセージを実際に伝送するチャネルであり、ＤＲＢはユーザーデータを実際に伝送するチャネルである。
【０００８】
データコピー伝送機能をイネーブルすることとは、あるＲＢに対応するＰＤＣＰエンティティが１つのＰＤＣＰ  ＰＤＵを複数にコピーし、それぞれ複数のＲＬＣエンティティにおいて伝送することを意味するが、データコピー伝送機能をイネーブルしないこととは、データコピー伝送機能を利用せず、すなわち、あるＲＢに対応するＰＤＣＰエンティティの伝送したＰＤＣＰ  ＰＤＵがデータコピーではなく、１つのＲＬＣエンティティにおいて１回伝送してもよく、１つのＰＤＣＰ  ＰＤＵを複数の部分に分けて複数のＲＬＣエンティティにおいて伝送してもよいことを意味する。
【０００９】
選択肢として、ここで、ＰＤＣＰ  ＰＤＵはデータ伝送信頼性への要求が高いいくつかのサービスであってもよい。すなわち、これらのサービスのＰＤＣＰ  ＰＤＵを伝送する必要があるとき、あるＲＢに対してデータコピー伝送機能をイネーブルする必要があるかどうかを決定する必要がある。データ伝送への要求が低い他のＰＤＣＰ  ＰＤＵは、あるＲＢのデータコピー伝送機能をイネーブルするかどうかを決定する必要がなく、該ＲＢのデータコピー伝送機能を直接イネーブルしない。
【００１０】
可能な実現方式では、該端末装置がネットワーク機器から送信された第１指示情報を受信することは、該端末装置が、該ネットワーク機器がメディアアクセス制御ＭＡＣ制御要素（ＣＥ：Ｃｏｎｔｒｏｌ  Ｅｌｍｅｎｔ）を介して送信した該第１指示情報を受信することを含む。
【００１１】
可能な実現方式では、該第１指示情報は該各ＲＢの識別子を含んで、該各ＲＢの識別子は対応するＲＢが該データコピー伝送機能をイネーブルすることを示すことに用いられ、又は、該各ＲＢの識別子は対応するＲＢが該データコピー伝送機能の利用を停止することを示すことに用いられる。
【００１２】
選択肢として、ネットワーク機器と端末装置とは、ネットワーク機器の端末装置へ送信したＲＢの識別子が、該ＲＢがデータコピー伝送機能を利用してもよいことを示し、又は、ネットワーク機器の端末装置へ送信したＲＢの識別子が、該ＲＢがデータコピー伝送機能を利用しなくてもよいことを示すと予め決めてもよい。
【００１３】
可能な実現方式では、該第１指示情報がビットマップであり、該ビットマップにおける各ビットが該各ＲＢに１対１に対応し、該各ビットの値は対応するＲＢがデータコピー伝送機能をイネーブルするかどうかを示す。
【００１４】
選択肢として、該第１指示情報にはあるＲＢがデータコピー伝送機能をイネーブルするかどうかを独立して示すための１つのｂｉｔがあってもよく、ネットワーク機器は更に第１指示情報において１つのｂｉｔを多重化することができ、すなわち、元々該指示情報には他の情報を示すための該ｂｉｔがあるが、該ＲＢがデータコピー伝送機能をイネーブルするかどうかを同時に示してもよい。
【００１５】
可能な実現方式では、該端末装置が該第１指示情報に基づき、該ネットワーク機器へデータを送信することは、該端末装置が、該第１指示情報に基づき、該少なくとも１つのＲＢのうちの第１ＲＢが該データコピー伝送機能をイネーブルすると決定することと、該端末装置が該第１ＲＢに対応するパケットデータ収束プロトコルＰＤＣＰエンティティに対応する複数の論理チャネルを介して、該ネットワーク機器へコピーデータを送信することと、を含む。
【００１６】
選択肢として、該ＲＢの以前の状態がデータコピー伝送機能の利用を停止することであり、すなわち、該ＲＢが以前にコピーデータを伝送したことがあるが、前回該ＲＢの伝送したのがコピーデータ以外のデータである場合、ネットワークが該ＲＢに割り当てたのは１つのＰＤＣＰエンティティが複数のＲＬＣエンティティに対応する可能性があるが、前回伝送時、端末装置が該複数のＲＬＣエンティティのうちのあるＲＬＣエンティティのみを用いてコピーデータ以外のデータを伝送し又は一部のＲＬＣエンティティを用いてコピーデータ以外のデータを伝送し、ネットワーク機器は該ＲＢがデータコピー伝送機能をイネーブルするように指示する場合、端末装置は該複数のＲＬＣエンティティを直接用いてコピーデータを伝送し又は該複数のＲＬＣエンティティのうちの一部のＲＬＣエンティティを直接用いてコピーデータを伝送することができる。
【００１７】
可能な実現方式では、該端末装置が該第１ＲＢに対応するパケットデータ収束プロトコルＰＤＣＰエンティティに対応する複数の論理チャネルを介して、該ネットワーク機器へコピーデータを送信する前に、該方法は、更に、該ＰＤＣＰエンティティが１つのみの論理チャネルに対応する場合、該端末装置が該コピーデータを伝送するための他の少なくとも１つの論理チャネルを示すための第２指示情報を受信することを含む。
【００１８】
可能な実現方式では、該端末装置が該第１指示情報に基づき、該ネットワーク機器へデータを送信することは、該端末装置が、該第１指示情報に基づき、該少なくとも１つのＲＢのうちの第１ＲＢが該データコピー伝送機能の利用を停止すると決定することと、該端末装置が該第１ＲＢに対応するＰＤＣＰエンティティに対応する論理チャネルを介して、該ネットワーク機器へコピーデータ以外のデータを送信することと、を含む。
【００１９】
可能な実現方式では、該端末装置が該第１ＲＢに対応するＰＤＣＰエンティティに対応する論理チャネルを介して、該ネットワーク機器へコピーデータ以外のデータを送信することは、該ＰＤＣＰエンティティが複数の論理チャネルに対応する場合、該端末装置が該ネットワーク機器から送信された、該複数の論理チャネルのうちのデータを伝送するための第１論理チャネルを示すための第２指示情報を受信することと、該端末装置が該第１論理チャネルを介して、該ネットワーク機器へ該コピーデータ以外のデータを送信することと、を含む。
【００２０】
選択肢として、該第２指示情報があるＲＬＣエンティティ又はいくつかのＲＬＣエンティティに対応する論理チャネルの識別子であってもよい。又は、明示的な指示方式を用いてあるＲＬＣエンティティ又はいくつかのＲＬＣエンティティがコピーデータ以外のデータを伝送でき、どれがデータの伝送を停止することを示してもよい。
【００２１】
可能な実現方式では、該端末装置が該第１ＲＢに対応するＰＤＣＰエンティティに対応する論理チャネルを介して、該ネットワーク機器へコピーデータ以外のデータを送信することは、該ＰＤＣＰエンティティが複数の論理チャネルに対応する場合、該端末装置が該ネットワーク機器から送信された、該複数の論理チャネルのうちのデータを伝送するためではない第１論理チャネルを示すための第２指示情報を受信することと、該端末装置が該２つの論理チャネルのうちの第２論理チャネルを介して、該ネットワーク機器へ該コピーデータ以外のデータを送信することと、を含む。
【００２２】
第２態様はデータ伝送方法を提供し、ネットワーク機器が第１指示情報を端末装置に送信し、該第１指示情報は少なくとも１つの無線ベアラＲＢのうちの各ＲＢがデータコピー伝送機能をイネーブルするかどうかを示すことに用いられることと、該ネットワーク機器が該少なくとも１つのＲＢを介して該端末装置から送信されたデータを受信することと、を含む。
【００２３】
可能な実現方式では、該ネットワーク機器が端末装置へ第１指示情報を送信することは、該ネットワーク機器がメディアアクセス制御ＭＡＣ制御要素ＣＥを介して該端末装置へ該第１指示情報を送信することを含む。
【００２４】
可能な実現方式では、該第１指示情報は該各ＲＢの識別子を含んで、該各ＲＢの識別子は対応するＲＢが該データコピー伝送機能をイネーブルすることを示すことに用いられ、又は、該各ＲＢの識別子は対応するＲＢが該データコピー伝送機能の利用を停止することを示すことに用いられる。
【００２５】
可能な実現方式では、該第１指示情報がビットマップであり、該ビットマップにおける各ビットが該各ＲＢに１対１に対応し、該各ビットの値は対応するＲＢがデータコピー伝送機能をイネーブルするかどうかを示す。
【００２６】
可能な実現方式では、該第１指示情報は該少なくとも１つのＲＢのうちの第１ＲＢが該データコピー伝送機能をイネーブルすることを示すことに用いられ、該ネットワーク機器が該少なくとも１つのＲＢを介して該端末装置から送信されたデータを受信することは、該ネットワーク機器が該第１ＲＢに対応するパケットデータ収束プロトコルＰＤＣＰエンティティに対応する複数の論理チャネルを介して、該端末装置から送信されたコピーデータを受信することを含む。
【００２７】
可能な実現方式では、該方法は、更に、該ＰＤＣＰエンティティが１つのみの論理チャネルに対応する場合、該ネットワーク機器がコピーデータを伝送するための他の少なくとも１つの論理チャネルを示すための第２指示情報を該端末装置に送信することを含む。
【００２８】
可能な実現方式では、該第１指示情報は該少なくとも１つのＲＢのうちの第１ＲＢが該データコピー伝送機能の利用を停止することを示すことに用いられ、該ネットワーク機器が該少なくとも１つのＲＢを介して該端末装置から送信されたデータを受信することは、該ネットワーク機器が該第１ＲＢに対応するＰＤＣＰエンティティに対応する論理チャネルを介して、該端末装置から送信されたコピーデータ以外のデータを受信することを含む。
【００２９】
可能な実現方式では、該方法は、更に、該ＰＤＣＰエンティティが複数の論理チャネルに対応する場合、該ネットワーク機器が該複数の論理チャネルのうちのデータを伝送するための第１論理チャネル又は該複数の論理チャネルのうちのデータを伝送するためではない第２論理チャネルを示すための第２指示情報を該端末装置に送信することを含む。
【００３０】
可能な実現方式では、該少なくとも１つのＲＢがデータ無線ベアラＤＲＢ及び／又はシグナリング無線ベアラＳＲＢを含む。
【００３１】
第３態様は端末装置を提供し、上記第１態様又は第１態様の任意の可能な実現方式における方法を実行することに用いられる。具体的に、該端末装置は上記第１態様又は第１態様の任意の可能な実現方式における方法を実行するためのユニットを備える。
【００３２】
第４態様はネットワーク機器を提供し、上記第２態様又は第１態様の任意の可能な実現方式における方法を実行することに用いられる。具体的に、該ネットワーク機器は上記第２態様又は第２態様の任意の可能な実現方式における方法を実行するためのユニットを備える。
【００３３】
第５態様は端末装置を提供し、メモリ、プロセッサ、入力インターフェース及び出力インターフェースを備える。メモリ、プロセッサ、入力インターフェース及び出力インターフェースがバスシステムによって接続される。該メモリが命令を記憶することに用いられ、該プロセッサが該メモリに記憶される命令を実行することに用いられ、上記第１態様又は第１態様の任意の可能な実現方式における方法を実行することに用いられる。
【００３４】
第６態様はネットワーク機器を提供し、メモリ、プロセッサ、入力インターフェース及び出力インターフェースを備える。メモリ、プロセッサ、入力インターフェース及び出力インターフェースがバスシステムによって接続される。該メモリが命令を記憶することに用いられ、該プロセッサが該メモリに記憶される命令を実行することに用いられ、上記第２態様又は第２態様の任意の可能な実現方式における方法を実行することに用いられる。
【００３５】
第７態様はコンピュータ記憶媒体を提供し、上記第１態様又は第１態様の任意の可能な実現方式における方法、又は上記第２態様又は第２態様の任意の可能な実現方式における方法を実行するために用いたコンピュータソフトウェア命令を記憶することに用いられ、上記態様を実行するために設計したプログラムを含む。
【００３６】
第８態様は命令を含むコンピュータプログラム製品を提供し、コンピュータにおいて実行されるとき、コンピュータが上記第１態様又は第１態様のいずれか１つの可能な実現方式における方法、又は上記第２態様又は第２態様のいずれか１つの可能な実現方式における方法を実行する。
【００３７】
本願のこれらの態様又は他の態様は以下の実施例の説明において明らかになる。
【図面の簡単な説明】
【００３８】
【図１】図１は本願の実施例の応用シーンの模式図である。
【図２】図２はキャリアアグリゲーションシーンにおけるデータコピー伝送のプロトコルアーキテクチャ図である。
【図３】図３は本願の実施例のデータ伝送方法の模式的なブロック図である。
【図４】図４は本願の実施例のデータ伝送方法の他の模式的なブロック図である。
【図５】図５は本願の実施例のデータを伝送するための端末装置の模式的なブロック図である。
【図６】図６は本願の実施例のデータを伝送するためのネットワーク機器の模式的なブロック図である。
【図７】図７は本願の実施例のデータを伝送するための端末装置の他の模式的なブロック図である。
【図８】図８は本願の実施例のデータを伝送するためのネットワーク機器の他の模式的なブロック図である。
【発明を実施するための形態】
【００３９】
以下、本願の実施例の図面を参照しながら、本願の実施例の技術案を明確且つ完全に説明する。
【００４０】
本願の実施例の技術案は様々な通信システム、例えば、モバイル通信用グローバル（ＧＳＭ：Ｇｌｏｂａｌ  Ｓｙｓｔｅｍ  ｏｆ  Ｍｏｂｉｌｅ  ｃｏｍｍｕｎｉｃａｔｉｏｎ）システム、符号分割多元接続（ＣＤＭＡ：Ｃｏｄｅ  Ｄｉｖｉｓｉｏｎ  Ｍｕｌｔｉｐｌｅ  Ａｃｃｅｓｓ）システム、広帯域符号分割多元接続（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）システム、汎用パケット無線サービス（ＧＰＲＳ：Ｇｅｎｅｒａｌ  Ｐａｃｋｅｔ  Ｒａｄｉｏ  Ｓｅｒｖｉｃｅ）、ＬＴＥシステム、ＬＴＥ周波数分割複信（ＦＤＤ：Ｆｒｅｑｕｅｎｃｙ  Ｄｉｖｉｓｉｏｎ  Ｄｕｐｌｅｘ）システム、ＬＴＥ時分割複信（ＴＤＤ：Ｔｉｍｅ  Ｄｉｖｉｓｉｏｎ  Ｄｕｐｌｅｘ）、ユニバーサルモバイルテレコミュニケーションズシステム（ＵＭＴＳ：Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、マイクロ波利用アクセスに関する世界的な相互運用（ＷｉＭＡＸ：Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）通信システム、新無線（ＮＲ：Ｎｅｗ  Ｒａｄｉｏ）又は将来の５Ｇシステム等に適用されてもよいと理解すべきである。
【００４１】
特に、本願の実施例の技術案は非直交多元アクセス技術に基づく様々な通信システム、例えば疎コード多重アクセス（ＳＣＭＡ：Ｓｐａｒｓｅ  Ｃｏｄｅ  Ｍｕｌｔｉｐｌｅ  Ａｃｃｅｓｓ）システム、低密度シグネチャ（ＬＤＳ：Ｌｏｗ  Ｄｅｎｓｉｔｙ  Ｓｉｇｎａｔｕｒｅ）システム等に適用されてもよく、無論、通信分野ではＳＣＭＡシステム及びＬＤＳシステムが他の名称と称されてもよく、更に、本願の実施例の技術案は非直交多元アクセス技術を用いるマルチキャリア伝送システム、例えば非直交多元アクセス技術を用いる直交周波数分割多重（ＯＦＤＭ：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）、フィルタバンクマルチキャリア（ＦＢＭＣ：Ｆｉｌｔｅｒ  Ｂａｎｋ  Ｍｕｌｔｉ−Ｃａｒｒｉｅｒ）、汎用周波数分割多重（ＧＦＤＭ：Ｇｅｎｅｒａｌｉｚｅｄ  Ｆｒｅｑｕｅｎｃｙ  Ｄｉｖｉｓｉｏｎ  Ｍｕｌｔｉｐｌｅｘｉｎｇ）、フィルタ直交周波数分割多重（Ｆ−ＯＦＤＭ：Ｆｉｌｔｅｒｅｄ−ＯＦＤＭ）システム等に適用されてもよい。
【００４２】
本願の実施例における端末装置はユーザー装置（ＵＥ：Ｕｓｅｒ  Ｅｑｕｉｐｍｅｎｔ）、アクセス端末、ユーザー要素、加入者局、移動局、トラバーサー、遠隔局、遠隔端末、モバイルデバイス、ユーザー端末、端末、無線通信装置、ユーザーエージェント又はユーザーデバイスを指してもよい。アクセス端末はセルラー方式の電話、コードレスホン、セッション確立プロトコル（ＳＩＰ：Ｓｅｓｓｉｏｎ  Ｉｎｉｔｉａｔｉｏｎ  Ｐｒｏｔｏｃｏｌ）電話、ワイヤレスローカルループ（ＷＬＬ：Ｗｉｒｅｌｅｓｓ  Ｌｏｃａｌ  Ｌｏｏｐ）局、パーソナルデジタルアシスタント（ＰＤＡ：Ｐｅｒｓｏｎａｌ  Ｄｉｇｉｔａｌ  Ａｓｓｉｓｔａｎｔ）、無線通信機能を有する携帯端末、コンピューティングデバイス又は無線モデムに接続される他の処理装置、車載装置、ウェアラブルデバイス、将来の５Ｇネットワークにおける端末装置又は将来発展する公衆陸上移動網（ＰＬＭＮ：Ｐｕｂｌｉｃ  Ｌａｎｄ  Ｍｏｂｉｌｅ  Ｎｅｔｗｏｒｋ）における端末装置等であってもよく、本願の実施例は制限しない。
【００４３】
本願の実施例におけるネットワーク機器は端末装置と通信するための機器であってもよく、該ネットワーク機器はＧＳＭ又はＣＤＭＡにおける基地局（ＢＴＳ：Ｂａｓｅ  Ｔｒａｎｓｃｅｉｖｅｒ  Ｓｔａｔｉｏｎ）であってもよく、ＷＣＤＭＡシステムにおける基地局（ＮＢ：ＮｏｄｅＢ）であってもよく、ＬＴＥシステムにおける発展型基地局（ｅＮＢ又はｅＮｏｄｅＢ：Ｅｖｏｌｕｔｉｏｎａｌ  ＮｏｄｅＢ）であってもよく、更にクラウド無線アクセスネットワーク（ＣＲＡＮ：Ｃｌｏｕｄ  Ｒａｄｉｏ  Ａｃｃｅｓｓ  Ｎｅｔｗｏｒｋ）シーンにおける無線制御装置であってもよく、又は、該ネットワーク機器は中継所、アクセスポイント、車載装置、ウェアラブルデバイス及び将来の５Ｇネットワークにおけるネットワーク機器又は将来発展するＰＬＭＮネットワークにおけるネットワーク機器等であってもよく、本願の実施例は制限しない。
【００４４】
図１は本願の実施例の応用シーンの模式図である。図１における通信システムは端末装置１０及びネットワーク機器２０を備えてもよい。ネットワーク機器２０は端末装置１０に通信サービスを提供してコアネットワークにアクセスすることに用いられ、端末装置１０はネットワーク機器２０から送信された同期信号、放送信号等を検索することによりネットワークにアクセスし、それによりネットワークと通信する。図１に示される矢印は端末装置１０とネットワーク機器２０との間のセルラーリンクによるアップリンク／ダウンリンク伝送を示してもよい。
【００４５】
キャリアアグリゲーションシーンにおいて、ＰＤＣＰはデータコピー機能をサポートし、すなわち、ＰＤＣＰのデータコピー機能を利用してコピーされたデータを２つ又は複数の論理チャネルに対応させ、且つ最終的にコピーされた複数の同じＰＤＣＰ  ＰＤＵが異なる物理層アグリゲーションキャリアにおいて伝送できるように確保することができ、これにより、データ伝送信頼性を向上させるよう、周波数ダイバーシティゲインを実現する。
【００４６】
理解しやすくするために、以下に図２を参照しながらどのようにコピーデータを異なる物理キャリアにスケジューリングするかを簡単に説明する。図２に示すように、ＰＤＣＰ層が分割ベアラコピー機能を有し、ＰＤＣＰ  ＳＤＵ１のデータプロセスをＰＤＣＰ  ＰＤＵ１及びＰＤＣＰ  ＰＤＵ２にコピー・カプセル化し、ＰＤＣＰ  ＰＤＵ１及びＰＤＣＰ  ＰＤＵ２が同じ内容を有し、すなわち、含まれるデータｐａｙｌｏａｄ及びヘッダｈｅａｄｅｒがいずれも同じである。それぞれＰＤＣＰ  ＰＤＵ１及びＰＤＣＰ  ＰＤＵ２を異なるＲＬＣエンティティにマッピングし、ＲＬＣエンティティがＰＤＣＰ  ＰＤＵ１及びＰＤＣＰ  ＰＤＵ２を異なる論理チャネル（論理チャネル１及び論理チャネル２）に追加し、ＭＡＣは、どの論理チャネルが同じＰＤＣＰ  ＰＤＵのコピーデータを伝送するかを把握した後、これらのコピーデータを異なるハイブリッド自動再送要求ＨＡＲＱエンティティによって異なるキャリアにおいて伝送し、例えば、論理チャネル１に含まれるコピーデータをＨＡＲＱエンティティ１によって物理キャリア１において伝送し、論理チャネル２に含まれるコピーデータをＨＡＲＱエンティティ２によって物理キャリア２において伝送する。
【００４７】
ＰＤＣＰ層によるデータコピー伝送はダイバーシティゲインを利用してデータ伝送信頼性を効果的に向上させることができるが、どのようにＰＤＣＰデータデータ伝送機能を柔軟に利用するかは、解決すべき問題である。
【００４８】
当業者であれば、アップリンクＰＤＣＰデータコピー機能は無線ベアラＲＢに基づいて設定されてもよく、すなわち、異なるＲＢがＰＤＣＰデータコピー伝送をサポートするように設定してもよく、ＰＤＣＰデータコピー伝送を設定しなくてもよいと理解される。
【００４９】
ＲＢは基地局がＵＥに割り当てた一連のプロトコルエンティティ及び設定の総称であり、ＰＤＣＰプロトコルエンティティ、ＲＬＣプロトコルエンティティ、並びにＭＡＣ及びＰＨＹに割り当てられた一連のリソース等を含む。ＲＢはＳＲＢ及びＤＲＢを含み、ＳＲＢはシステムのシグナリングメッセージを実際に伝送するチャネルであり、ＤＲＢはユーザーデータを実際に伝送するチャネルである。
【００５０】
本明細書における用語「システム」と「ネットワーク」は常に交換可能に使用されると理解すべきである。本明細書における用語「及び／又は」は、関連オブジェクトを説明する関連関係に過ぎず、３つの関係が存在してもよいことを示し、例えば、「Ａ及び／又はＢ」は「Ａが独立して存在する」「ＡとＢが同時に存在する」「Ｂが独立して存在する」の３つの状況を示してもよい。また、本明細書における文字「／」は一般的に前後関連オブジェクトが「又は」関係であることを示す。
【００５１】
図３は本願の実施例のデータ伝送方法１００の模式的なブロック図である。図３に示すように、該方法１００は、
端末装置が、ネットワーク機器から送信された第１指示情報を受信し、該第１指示情報は少なくとも１つの無線ベアラＲＢのうちの各ＲＢがデータコピー伝送機能をイネーブルするかどうかを示すことに用いられるＳ１１０と、
該端末装置が該第１指示情報に基づき、該ネットワーク機器へデータを送信するＳ１２０と、を含む。
【００５２】
具体的に、ネットワーク機器はあるＲＢがデータコピー伝送機能をイネーブルする必要があるかどうかを自主的に決定することができる。例えば、ネットワーク機器は現在のサービスのデータ伝送信頼性への要求があるかどうかによって決定することができる。データ伝送信頼性への要求がより高い場合、データコピー伝送を用いると決定できる。ネットワーク機器はいくつのＲＢ及びどのＲＢを用いてコピーデータの伝送を行うかを決定することもできる。且つ、ネットワーク機器は選択されたＲＢの識別子を端末装置に通知することができ、又は、ネットワーク機器は各ＲＢがコピーデータを伝送することに用いられるかどうかを端末装置に通知することができる。端末装置はネットワーク機器から送信された指示情報を受信した後、更に該指示情報に基づいてネットワーク機器へデータを送信することができる。例えば、該指示情報はあるＲＢがコピーデータを伝送することに用いられることを示す場合、端末装置は該ＲＢを用いてネットワーク機器へコピーデータを伝送することができ、該指示情報はあるＲＢがコピーデータ以外のデータを伝送することに用いられることを示す場合、端末装置は該ＲＢを用いてネットワーク機器へコピーデータ以外のデータを伝送することができる。
【００５３】
従って、本願の実施例のデータ伝送方法は、ネットワーク機器の指示に従ってデータを送信し、データ伝送柔軟性の向上に役立つ。
【００５４】
選択肢として、本願の実施例において、該端末装置がネットワーク機器から送信された第１指示情報を受信することは、該端末装置が、該ネットワーク機器がメディアアクセス制御ＭＡＣ制御要素ＣＥを介して送信した該第１指示情報を受信することを含む。
【００５５】
本願の実施例に係る第１指示情報がＭＡＣシグナリングに含まれてもよく、第１指示情報も他の層のシグナリング、例えばＰＨＹシグナリング、ＲＬＣ層シグナリング等に含まれてもよく、本願の実施例はこれに限らないと理解すべきである。
【００５６】
選択肢として、本願の実施例において、該第１指示情報は該各ＲＢの識別子を含んで、該各ＲＢの識別子は対応するＲＢが該データコピー伝送機能をイネーブルすることを示すことに用いられ、又は、該各ＲＢの識別子は対応するＲＢが該データコピー伝送機能の利用を停止することを示すことに用いられる。
【００５７】
具体的に、ネットワーク機器と端末装置とは、ネットワーク機器の端末装置へ送信したＲＢの識別子が、該ＲＢがデータコピー伝送機能を利用してもよいことを示し、又は、ネットワーク機器の端末装置へ送信したＲＢの識別子が、該ＲＢがデータコピー伝送機能を利用しなくてもよいことを示すと予め決めてもよい。そうするとネットワーク機器はどのＲＢがデータコピー伝送機能を利用してもよいか、又は、どのＲＢがデータコピー伝送機能を利用しなくてもよいかを決定した後、ネットワーク機器は端末装置へこれらのＲＢの識別子を送信することができ、そうすると端末装置はこれらのＲＢの識別子を受信した後、決められたルールに従ってどのＲＢがデータコピー伝送機能を利用してもよいか、どのＲＢがデータコピー伝送機能を利用しなくてもよいかを把握でき、更に端末装置は対応するＲＢを用いてコピーデータ又はコピーデータ以外のデータを送信することができる。
【００５８】
選択肢として、本願の実施例において、該第１指示情報がビットマップであり、該ビットマップにおける各ビットが該各ＲＢに１対１に対応し、該各ビットの値は対応するＲＢがデータコピー伝送機能をイネーブルするかどうかを示す。
【００５９】
具体的に、ネットワーク機器はあるＲＢがデータコピー伝送機能をイネーブルするかどうかを示すことを表示することもできる。例えば、ネットワーク機器は端末装置とともに１つのｂｉｔで、あるＲＢがデータコピー伝送機能をイネーブルするかどうかを示すと予め決めてもよい。「１」は該ＲＢがデータコピー伝送機能をイネーブルすることを示し、すなわち、端末装置は該ＲＢを用いてコピーデータの伝送を行うことができ、「０」は該ＲＢがデータコピー伝送機能の利用を停止することを示し、すなわち、端末装置は該ＲＢを用いてコピーデータ以外のデータの伝送を行うことができる。そうするとネットワーク機器は端末装置に１つの指示情報を指示することができ、該指示情報には該ＲＢがデータコピー伝送機能をイネーブルするかどうかを独立して示すことに用いられる１つのｂｉｔがあって、ネットワーク機器は更に指示情報において１つのｂｉｔを多重化することができ、すなわち、元々該指示情報には他の情報を示すための該ｂｉｔがあるが、該ＲＢがデータコピー伝送機能をイネーブルするかどうかを同時に示してもよい。同様に、ネットワーク機器は複数のＲＢがデータコピー伝送機能をイネーブルするかどうかを示すことを表示する必要がある場合、ネットワーク機器は１つのビットマップを用いてもよく、該ビットマップのビット数はネットワーク機器が端末装置に指示するＲＢの数を示し、該ビットマップにおける各ビットはいずれもその代表されるＲＢがデータコピー伝送機能をイネーブルするかどうかを示すことに用いられる。例えば、一般的に無線通信中のＤＲＢの数が多くとも８つであり、１つの８ビットのビットマップを用いて、該８つのＤＲＢを該ビットマップに予めマッピングすることができ、すなわち、ビットマップにおける各ビットはいずれも該８つのＤＲＢのうちの１つのＤＲＢを代表し、且つネットワーク機器と端末装置とはこのようなマッピング関係を予め把握でき、そうすると端末装置が該ビットマップを受信した後、端末装置はこのようなマッピング関係に基づき、各ｂｉｔの代表されるＤＲＢがデータコピー伝送機能をイネーブルするかどうかを調べることができる。
【００６０】
上記２つの指示方式は模式的なものに過ぎず、本願の実施例はこれに限らず、ＲＢがデータコピー伝送機能をイネーブルするかどうかを示すいかなる方式はいずれも本願の実施例の保護範囲内に含まれると理解すべきである。
【００６１】
選択肢として、本願の実施例において、該端末装置が該第１指示情報に基づき、該ネットワーク機器へデータを送信することは、該端末装置が該第１指示情報に基づき、該少なくとも１つのＲＢのうちの第１ＲＢが該データコピー伝送機能をイネーブルすると決定することと、該端末装置が該第１ＲＢに対応するパケットデータ収束プロトコルＰＤＣＰエンティティに対応する複数の論理チャネルを介して、該ネットワーク機器へコピーデータを送信することと、を含む。
【００６２】
ネットワーク機器はあるＲＢがデータコピー伝送機能をイネーブルすることを端末装置に指示する場合、端末装置は該ＲＢを用いてネットワーク機器へコピーデータを送信することができる。具体的に、端末装置は該ＲＢに対応するＰＤＣＰエンティティに対応する複数のＲＬＣエンティティを介して、ネットワーク機器へコピーデータを送信する必要がある。１つのＲＬＣエンティティが１つの論理チャネルに対応してもよい。図２を例として、図２におけるデータ伝送経路全体が１つのＤＲＢと称されてもよく、図中の１つのＤＲＢは１つのＰＤＣＰエンティティ、２つのＲＬＣエンティティを含んでもよく、且つＭＡＣエンティティを介して２つの異なる物理キャリアにマッピングする。ネットワーク機器は図２に示されるＤＲＢがデータコピー伝送機能をイネーブルするように指示する場合、端末装置はＰＤＣＰエンティティにおいてＰＤＣＰ  ＰＤＵを２つに直接コピーし、それぞれ２つのＲＬＣエンティティに追加して伝送することができ、更に該２つのＰＤＵを異なる物理キャリアに追加して伝送することができ、これにより、データ伝送信頼性を向上させるよう、周波数ダイバーシティゲインを実現する。
【００６３】
以上は１つのＰＤＣＰエンティティが２つのＲＬＣエンティティに対応してデータコピー伝送を行う場合を例として説明したが、本願の実施例は複数のＲＬＣエンティティを１つのＰＤＣＰエンティティに対応し、コピーデータを伝送する必要がある場合、ＰＤＣＰ  ＰＤＵを複数に直接コピーし、該ＰＤＣＰに対応する複数のＲＬＣに追加して伝送することができ、本願の実施例はこれに限らないと理解すべきである。
【００６４】
選択肢として、該ＲＢの以前の状態がデータコピー伝送機能の利用を停止することであり、すなわち、該ＲＢが以前にコピーデータを伝送したことがあるが、前回該ＲＢの伝送したのがコピーデータ以外のデータである場合、ネットワークが該ＲＢに割り当てたのは１つのＰＤＣＰエンティティが複数のＲＬＣエンティティに対応する可能性があるが、前回伝送時、端末装置が該複数のＲＬＣエンティティのうちのあるＲＬＣエンティティのみを用いてコピーデータ以外のデータを伝送し又は一部のＲＬＣエンティティを用いてコピーデータ以外のデータを伝送し、ネットワーク機器は該ＲＢがデータコピー伝送機能をイネーブルするように指示する場合、端末装置は該複数のＲＬＣエンティティを直接用いてコピーデータを伝送し又は該複数のＲＬＣエンティティのうちの一部のＲＬＣエンティティを直接用いてコピーデータを伝送することができる。
【００６５】
選択肢として、ＲＢに設定したデフォルト状態がデータコピー伝送機能の利用を停止することである。該ＲＢの以前に伝送したのがずっとコピーデータ以外のデータであり、このような場合、ネットワークが該ＲＢに設定できるのは１つのＰＤＣＰが１つのＲＬＣエンティティに対応することであり、そうするとネットワーク機器は該ＲＢがデータコピー伝送機能をイネーブルするように指示する場合、端末装置は該ＰＤＣＰに対応する１つのＲＬＣエンティティを用いる以外に、更に他の少なくとも１つのＲＬＣエンティティを用いてネットワーク機器へコピーデータを送信する必要があると理解される。該用いた他の１つのＲＬＣエンティティはＰＤＣＰエンティティが自主的に決定したものであってもよく、ネットワーク機器が指示したものであってもよい。
【００６６】
選択肢として、本願の実施例において、該端末装置が該第１ＲＢに対応するパケットデータ収束プロトコルＰＤＣＰエンティティに対応する２つの論理チャネルを介して、該ネットワーク機器へコピーデータを送信する前に、該方法は、更に、該ＰＤＣＰエンティティが１つのみの論理チャネルに対応する場合、該端末装置が該コピーデータを伝送するための他の少なくとも１つの論理チャネルを示すための第２指示情報を受信することを含む。
【００６７】
具体的に、該第２指示情報はあるＲＬＣエンティティ又はいくつかのＲＬＣエンティティに対応する論理チャネルの識別子であってもよい。すなわち、ネットワーク機器は端末装置がいくつかの論理チャネルの識別子を受信すれば、該論理チャネルのＲＬＣエンティティがあるＲＢのＰＤＣＰに関連してもよいことを示してもよいと予め決めてもよい。又は、ネットワーク機器は端末装置がいくつかの論理チャネルの識別子を受信すれば、該論理チャネル以外の論理チャネルに対応するＲＬＣエンティティがあるＲＬＣエンティティに関連してもよいことを示してもよいと予め決めてもよい。
【００６８】
同様に、ある論理チャネルに対応するＲＬＣエンティティがあるＲＢに対応するＰＤＣＰに関連してもよいように明示的に指示してもよい。端末装置は「１」で論理チャネル０を示し、「０」で論理チャネル１を示すと決めたと仮定する場合、端末装置があるＲＢに関連する該指示情報を受信した後、端末装置はある論理チャネルに対応するＲＬＣエンティティを該ＲＢに対応するＰＤＣＰエンティティに関連付けることができることを把握できる。
【００６９】
選択肢として、ＲＢに設定したデフォルト状態がデータコピー伝送機能の利用を停止することである。該ＲＢの以前に伝送したのがずっとコピーデータ以外のデータであり、このような場合、ネットワークが該ＲＢに設定できるのは１つのＰＤＣＰが複数のＲＬＣエンティティに対応することであると理解される。すなわち、ネットワークは該ＲＢに対応するＰＤＣＰエンティティを複数のＲＬＣエンティティに対応することができるが、ネットワークは以前に該複数のＲＬＣエンティティを用いてコピーデータを伝送することがなく、伝送したのがコピーデータ以外のデータであり、例えば、端末装置は該ＲＢに対応するＰＤＣＰに対応する複数のＲＬＣエンティティのうちの１つのＲＬＣエンティティ又は複数のＲＬＣエンティティを用いてコピーデータ以外のデータを伝送することができる。そうするとネットワーク機器は該ＲＢがデータコピー伝送機能をイネーブルするように指示する場合、端末装置は該複数のＲＬＣエンティティのうちの一部又は全部のＲＬＣエンティティを直接用いてコピーデータを伝送することができる。
【００７０】
端末装置が該複数のＲＬＣエンティティのうちの一部のＲＬＣエンティティを用いてコピーデータを伝送する場合、端末装置はどのＲＬＣエンティティを用いてコピーデータを伝送するかを自主的に決定し、ネットワーク機器はどのＲＬＣエンティティを用いてコピーデータを伝送するかを指示してもよいと理解すべきである。
【００７１】
どのＲＬＣエンティティを用いてコピーデータを伝送するかを指示することは上記と同様であり、該ＲＬＣエンティティに対応する論理チャネルの識別子を端末装置に送信し又は明示的に指示してもよいと更に理解すべきである。
【００７２】
選択肢として、本願の実施例において、該端末装置が該第１指示情報に基づき、該ネットワーク機器へデータを送信することは、該端末装置が該第１指示情報に基づき、該少なくとも１つのＲＢのうちの第１ＲＢが該データコピー伝送機能の利用を停止すると決定することと、該端末装置が該第１ＲＢに対応するＰＤＣＰエンティティに対応する論理チャネルを介して、該ネットワーク機器へコピーデータ以外のデータを送信することと、を含む。
【００７３】
具体的に、ネットワーク機器はあるＲＢがデータコピー伝送機能の利用を停止することを端末装置に指示し、すなわち、前回端末装置が該ＲＢを用いて伝送したのはコピーデータである場合、該ＲＢに対応するＰＤＣＰエンティティ自身が複数のＲＬＣエンティティに対応し、端末装置はネットワーク機器の指示を受信した後、該ＲＢに対応するＰＤＣＰエンティティに対応する複数のＲＬＣエンティティのうちの１つの又は複数のＲＬＣエンティティを用いてコピーデータ以外のデータを伝送することができる。
【００７４】
選択肢として、端末装置は一定のルールに従って該複数のＲＬＣエンティティのうちのどのＲＬＣエンティティを用いてコピーデータ以外のデータの伝送を行うかを自主的に決定することができる。ネットワーク機器は該複数のＲＬＣエンティティのうちのどのＲＬＣエンティティを用いてコピーデータ以外のデータの伝送を行うかを指示する指示を端末装置に送信することもできる。ネットワーク機器は更に該複数のＲＬＣエンティティのうちのどのＲＬＣエンティティがコピーデータ以外のデータの伝送を行うことができないかを指示する指示を端末装置に送信することができ、そうすると端末装置は該複数のＲＬＣエンティティのうちの他のＲＬＣエンティティを用いてコピーデータ以外のデータの伝送を行うことができる。端末装置は更に該複数のＲＬＣエンティティのうちのコピーデータ以外のデータを伝送するためではないＲＬＣエンティティを解放することができる。
【００７５】
選択肢として、ネットワーク機器は１つのメッセージに上記第１指示情報及び第２指示情報、すなわち、ＲＢがデータコピー伝送機能をイネーブルするかどうかを示す上記情報及び他のＲＬＣエンティティに対応する論理チャネルを示す上記情報を含んでもよい。例えば、１つの表を用いてもよく、該表の各列が１つのＲＢを示し、該表の各行が第１指示情報又は第２指示情報を示す。具体的に表１に示される。
【００７６】
【表１】
2020529751.tif 000003
【００７７】
表１に示すように、ネットワーク機器は端末装置とともに該表の意味、すなわち、該表の各行が何を示すか、各列が何を示すが、各値が何を示すかを予め決めてもよい。例えば、該表１における第１行は８つのＲＢのうちの各ＲＢがデータコピー伝送機能をイネーブルするかどうかを示す。該表１における第２行は８つのＲＢのうちの各データコピー伝送機能の利用を停止しようとするＲＢがどの論理チャネルを停止するかを示す。該表１における同じ列が同じＲＢを示す。該表では、第１行で示すＲＢがデータコピー伝送機能をイネーブルすることを示す場合、該列の第２行の値を無視してもよい。具体的に、上記表１はＲＢ１、ＲＢ５及びＲＢ６がデータコピー伝送機能をイネーブルすることを示すが、ＲＢ０、ＲＢ２、ＲＢ３、ＲＢ４及びＲＢ７がデータコピー伝送機能の利用を停止することを示す。且つＲＢ０、ＲＢ２、ＲＢ３、ＲＢ４及びＲＢ７の停止したのが論理チャネル０である（第１行の「０」がデータコピー伝送機能の利用を停止することを示し、第１行の「１」がデータコピー伝送機能をイネーブルすることを示し、第２行の「０」が論理チャネル０を示し、第２行の「１」が論理チャネル１を示すと仮定する）。
【００７８】
以上は「０」及び「１」の２つの値を例として説明したが、該第２行の各ビットの具体値が更に１つの集合における値であってもよく、「０」及び「１」に限らず、例えば、それぞれ「０」〜「２」で論理チャネル０〜論理チャネル２を示してもよいと理解すべきである。本願の実施例はこれに限らない。且つ上記値の意味も制限されていない。
【００７９】
図４は本願の実施例のデータ伝送方法２００の模式的なブロック図である。図４に示すように、該方法２００は、
ネットワーク機器が第１指示情報を端末装置に送信し、該第１指示情報は少なくとも１つの無線ベアラＲＢのうちの各ＲＢがデータコピー伝送機能をイネーブルするかどうかを示すことに用いられるＳ２１０と、
該ネットワーク機器が該少なくとも１つのＲＢを介して該端末装置から送信されたデータを受信するＳ２２０と、を含む。
【００８０】
従って、本願の実施例のデータ伝送方法は、データ伝送柔軟性の向上に役立つ。
【００８１】
選択肢として、本願の実施例において、該ネットワーク機器が端末装置へ第１指示情報を送信することは、該ネットワーク機器がメディアアクセス制御ＭＡＣ制御要素ＣＥを介して該端末装置へ該第１指示情報を送信することを含む。
【００８２】
選択肢として、本願の実施例において、該第１指示情報は該各ＲＢの識別子を含んで、該各ＲＢの識別子は対応するＲＢが該データコピー伝送機能をイネーブルすることを示すことに用いられ、又は、該各ＲＢの識別子は対応するＲＢが該データコピー伝送機能の利用を停止することを示すことに用いられる。
【００８３】
選択肢として、本願の実施例において、該第１指示情報がビットマップであり、該ビットマップにおける各ビットが該各ＲＢに１対１に対応し、該各ビットの値は対応するＲＢがデータコピー伝送機能をイネーブルするかどうかを示す。
【００８４】
選択肢として、本願の実施例において、該第１指示情報は該少なくとも１つのＲＢのうちの第１ＲＢが該データコピー伝送機能をイネーブルすることを示すことに用いられ、該ネットワーク機器が該少なくとも１つのＲＢを介して該端末装置から送信されたデータを受信することは、該ネットワーク機器が該第１ＲＢに対応するパケットデータ収束プロトコルＰＤＣＰエンティティに対応する複数の論理チャネルを介して、該端末装置から送信されたコピーデータを受信することを含む。
【００８５】
選択肢として、本願の実施例において、該方法は、更に、該ＰＤＣＰエンティティが１つのみの論理チャネルに対応する場合、該ネットワーク機器がコピーデータを伝送するための他の少なくとも１つの論理チャネルを示すための第２指示情報を該端末装置に送信することを含む。
【００８６】
選択肢として、本願の実施例において、該第１指示情報は該少なくとも１つのＲＢのうちの第１ＲＢが該データコピー伝送機能の利用を停止することを示すことに用いられ、該ネットワーク機器が該少なくとも１つのＲＢを介して該端末装置から送信されたデータを受信することは、該ネットワーク機器が該第１ＲＢに対応するＰＤＣＰエンティティに対応する論理チャネルを介して、該端末装置から送信されたコピーデータ以外のデータを受信することを含む。
【００８７】
選択肢として、本願の実施例において、該方法は、更に、該ＰＤＣＰエンティティが複数の論理チャネルに対応する場合、該ネットワーク機器が該複数の論理チャネルのうちのデータを伝送するための第１論理チャネル又は該複数の論理チャネルのうちのデータを伝送するためではない第２論理チャネルを示すための第２指示情報を該端末装置に送信することを含む。
【００８８】
選択肢として、本願の実施例において、該少なくとも１つのＲＢがデータ無線ベアラＤＲＢ及び／又はシグナリング無線ベアラＳＲＢを含む。
【００８９】
ネットワーク機器に説明されるネットワーク機器と端末装置とのインタラクション及び関連特性、機能等は端末装置の関連特性、機能に対応すると理解すべきである。且つ、関連内容は上記方法１００では詳しく説明したため、簡潔のため、ここで詳細な説明は省略する。
【００９０】
本願の様々な実施例において、上記各過程の番号の順位は実行順序の前後を意味せず、各過程の実行順序はその機能及び内部論理によって決定されるべきであり、本願の実施例の実施過程を制限するためのものではないと更に理解すべきである。
【００９１】
以上は本願の実施例に係るデータ伝送方法を詳しく説明したが、以下に図５〜図８を参照しながら、本願の実施例に係るデータ伝送装置を説明し、方法実施例に説明される技術的特徴は以下の装置実施例に適用される。
【００９２】
図５は本願の実施例の端末装置３００の模式的なブロック図である。図５に示すように、該端末装置３００は、
ネットワーク機器から送信された、少なくとも１つの無線ベアラＲＢのうちの各ＲＢがデータコピー伝送機能をイネーブルするかどうかを示すための第１指示情報を受信するための第１受信ユニット３００と、
該第１指示情報に基づき、該ネットワーク機器へデータを送信するための送信ユニット２００と、を備える。
【００９３】
従って、本願の実施例の端末装置は、データ伝送柔軟性の向上に役立つ。
【００９４】
選択肢として、本願の実施例において、該第１受信ユニット２１０は、具体的に、該ネットワーク機器がメディアアクセス制御ＭＡＣ制御要素ＣＥを介して送信した該第１指示情報を受信することに用いられる。
【００９５】
選択肢として、本願の実施例において、該第１指示情報は該各ＲＢの識別子を含んで、該各ＲＢの識別子は対応するＲＢが該データコピー伝送機能をイネーブルすることを示すことに用いられ、又は、該各ＲＢの識別子は対応するＲＢが該データコピー伝送機能の利用を停止することを示すことに用いられる。
【００９６】
選択肢として、本願の実施例において、該第１指示情報がビットマップであり、該ビットマップにおける各ビットが該各ＲＢに１対１に対応し、該各ビットの値は対応するＲＢがデータコピー伝送機能をイネーブルするかどうかを示す。
【００９７】
選択肢として、本願の実施例において、該送信ユニット３２０は、具体的に、該第１指示情報に基づき、該少なくとも１つのＲＢのうちの第１ＲＢが該データコピー伝送機能をイネーブルすると決定し、該第１ＲＢに対応するパケットデータ収束プロトコルＰＤＣＰエンティティに対応する複数の論理チャネルを介して、該ネットワーク機器へコピーデータを送信することに用いられる。
【００９８】
選択肢として、本願の実施例において、該端末装置３００は、更に、該ＰＤＣＰエンティティが１つのみの論理チャネルに対応する場合、該コピーデータを伝送するための他の少なくとも１つの論理チャネルを示すための第２指示情報を受信するための第２受信ユニットを備える。
【００９９】
選択肢として、本願の実施例において、該送信ユニット３２０は、具体的に、該第１ＲＢに対応するＰＤＣＰエンティティに対応する論理チャネルを介して、該ネットワーク機器へコピーデータ以外のデータを送信することに用いられる。
【０１００】
選択肢として、本願の実施例において、該送信ユニット３２０は、具体的に、該ＰＤＣＰエンティティが複数の論理チャネルに対応する場合、該端末装置が該ネットワーク機器から送信された、該複数の論理チャネルのうちのデータを伝送するための第１論理チャネルを示すための第２指示情報を受信し、該第１論理チャネルを介して、該ネットワーク機器へ該コピーデータ以外のデータを送信することに用いられる。
【０１０１】
選択肢として、本願の実施例において、該送信ユニット３２０は、具体的に、該ＰＤＣＰエンティティが複数の論理チャネルに対応する場合、該ネットワーク機器から送信された、該複数の論理チャネルのうちのデータを伝送するためではない第１論理チャネルを示すための第２指示情報を受信し、該複数の論理チャネルのうちの該第１論理チャネル以外の第２論理チャネルを介して、該ネットワーク機器へ該コピーデータ以外のデータを送信することに用いられる。
【０１０２】
選択肢として、本願の実施例において、該少なくとも１つのＲＢがデータ無線ベアラＤＲＢ及び／又はシグナリング無線ベアラＳＲＢを含む。
【０１０３】
本願の実施例に係る端末装置３００は本願の方法実施例における端末装置に対応してもよく、且つ端末装置３００における各ユニットの上記及び他の操作及び／又は機能はそれぞれ図３の方法における端末装置の対応プロセスを実現するためのものであり、簡潔のため、ここで詳細な説明は省略すると理解すべきである。
【０１０４】
図６は本願の実施例のネットワーク機器４００の模式的なブロック図である。図６に示すように、該ネットワーク機器４００は、
少なくとも１つの無線ベアラＲＢのうちの各ＲＢがデータコピー伝送機能をイネーブルするかどうかを示すための第１指示情報を端末装置に送信するための第１送信ユニット４１０と、
該少なくとも１つのＲＢを介して該端末装置から送信されたデータを受信するための受信ユニット４２０と、を備える。
【０１０５】
従って、本願の実施例のネットワーク機器は、データ伝送柔軟性の向上に役立つ。
【０１０６】
選択肢として、本願の実施例において、該第１送信ユニット４１０は、具体的に、メディアアクセス制御ＭＡＣ制御要素ＣＥを介して該端末装置へ該第１指示情報を送信することに用いられる。
【０１０７】
選択肢として、本願の実施例において、該第１指示情報は該各ＲＢの識別子を含んで、該各ＲＢの識別子は対応するＲＢが該データコピー伝送機能をイネーブルすることを示すことに用いられ、又は、該各ＲＢの識別子は対応するＲＢが該データコピー伝送機能の利用を停止することを示すことに用いられる。
【０１０８】
選択肢として、本願の実施例において、該第１指示情報がビットマップであり、該ビットマップにおける各ビットが該各ＲＢに１対１に対応し、該各ビットの値は対応するＲＢがデータコピー伝送機能をイネーブルするかどうかを示す。
【０１０９】
選択肢として、本願の実施例において、該第１指示情報は該少なくとも１つのＲＢのうちの第１ＲＢが該データコピー伝送機能をイネーブルすることを示すことに用いられ、該受信ユニットは、具体的に、該第１ＲＢに対応するパケットデータ収束プロトコルＰＤＣＰエンティティに対応する複数の論理チャネルを介して、該端末装置から送信されたコピーデータを受信することに用いられる。
【０１１０】
選択肢として、本願の実施例において、該ネットワーク機器４００は、更に、該ＰＤＣＰエンティティが１つのみの論理チャネルに対応する場合、コピーデータを伝送するための他の少なくとも１つの論理チャネルを示すための第２指示情報を該端末装置に送信するための第２送信ユニットを備える。
【０１１１】
選択肢として、本願の実施例において、該受信ユニット４２０は、具体的に、該第１ＲＢに対応するＰＤＣＰエンティティに対応する論理チャネルを介して、該端末装置から送信されたコピーデータ以外のデータを受信することに用いられる。
【０１１２】
選択肢として、本願の実施例において、該ネットワーク機器４００は、更に、該ＰＤＣＰエンティティが複数の論理チャネルに対応する場合、該複数の論理チャネルのうちのデータを伝送するための第１論理チャネル又は該複数の論理チャネルのうちのデータを伝送するためではない第２論理チャネルを示すための第２指示情報を該端末装置に送信するための第２送信ユニットを備える。
【０１１３】
選択肢として、本願の実施例において、該少なくとも１つのＲＢがデータ無線ベアラＤＲＢ及び／又はシグナリング無線ベアラＳＲＢを含む。
【０１１４】
本願の実施例に係るネットワーク機器４００は本願の方法実施例におけるネットワーク機器に対応してもよく、且つネットワーク機器４００における各ユニットの上記及び他の操作及び／又は機能はそれぞれ図４の方法におけるネットワーク機器の対応プロセスを実現するためのものであり、簡潔のため、ここで詳細な説明は省略すると理解すべきである。
【０１１５】
図７に示すように、本願の実施例は更に端末装置５００を提供し、該端末装置５００は図３における方法１００に対応する端末装置の内容を実行することができる図５における端末装置３００であってもよい。該端末装置５００は入力インターフェース５１０、出力インターフェース５２０、プロセッサ５３０及びメモリ５４０を備え、該入力インターフェース５１０、出力インターフェース５２０、プロセッサ５３０及びメモリ５４０がバスシステムによって接続されてもよい。該メモリ５４０がプログラム、命令又はコードを記憶することに用いられる。入力インターフェース５１０が信号を受信し、出力インターフェース５２０が信号を送信し及び上記方法実施例における操作を完了するように制御するために、該プロセッサ５３０は該メモリ５４０におけるプログラム、命令又はコードを実行することに用いられる。
【０１１６】
従って、本願の実施例の端末装置は、データ伝送柔軟性の向上に役立つ。
【０１１７】
本願の実施例において、該プロセッサ５３０は中央処理装置（ＣＰＵ：Ｃｅｎｔｒａｌ  Ｐｒｏｃｅｓｓｉｎｇ  Ｕｎｉｔ）であってもよく、該プロセッサ５３０は更に他の汎用プロセッサ、デジタル信号プロセッサ、特定用途向け集積回路、フィールドプログラマブルゲートアレイ又は他のプログラマブルロジックデバイス、個別ゲート又はトランジスタロジックデバイス、個別ハードウェアコンポーネント等であってもよいと理解すべきである。汎用プロセッサはマイクロプロセッサであってもよく、又は該プロセッサは更にいかなる通常のプロセッサ等であってもよい。
【０１１８】
該メモリ５４０は読み出し専用メモリ及びランダムアクセスメモリを含んでもよく、且つプロセッサ５３０に命令及びデータを提供する。メモリ５４０の一部は更に不揮発性ランダムアクセスメモリを含んでもよい。例えば、メモリ５４０に更に装置タイプ情報が記憶されてもよい。
【０１１９】
実現過程において、上記方法の各内容はプロセッサ５３０におけるハードウェアの集積論理回路又はソフトウェア形式の命令で完了してもよい。本願の実施例に開示される方法の内容は、ハードウェアプロセッサで実行して完了し、又はプロセッサにおけるハードウェア及びソフトウェアモジュールの組み合わせで実行して完了すると直接具現されてもよい。ソフトウェアモジュールがランダムアクセスメモリ、フラッシュメモリ、読み出し専用メモリ、プログラム可能読み出し専用メモリ又は電気消去可能プログラム可能メモリ、レジスタ等の本分野で成熟している記憶媒体に位置してもよい。該記憶媒体がメモリ５４０に位置し、プロセッサ５３０がメモリ５４０における情報を読み取り、そのハードウェアと組み合わせて上記方法の内容を完了する。重複を避けるため、ここで詳細な説明は省略する。
【０１２０】
１つの具体的な実施形態において、端末装置３００における第１受信ユニット及び第２受信ユニットが図７における入力インターフェース５１０により実現されてもよく、端末装置３００の送信ユニットが図７における出力インターフェース５２０により実現されてもよい。
【０１２１】
図８に示すように、本願の実施例は更にネットワーク機器６００を提供し、該ネットワーク機器６００は図４における方法２００に対応するネットワーク機器の内容を実行することができる図６におけるネットワーク機器４００であってもよい。該ネットワーク機器６００は入力インターフェース６１０、出力インターフェース６２０、プロセッサ６３０及びメモリ６４０を備え、該入力インターフェース６１０、出力インターフェース６２０、プロセッサ６３０及びメモリ６４０がバスシステムによって接続されてもよい。該メモリ６４０がプログラム、命令又はコードを記憶することに用いられる。入力インターフェース６１０が信号を受信し、出力インターフェース６２０が信号を送信し及び上記方法実施例における操作を完了するように制御するために、該プロセッサ６３０は該メモリ６４０におけるプログラム、命令又はコードを実行することに用いられる。
【０１２２】
従って、本願の実施例のネットワーク機器は、データ伝送柔軟性の向上に役立つ。
【０１２３】
本願の実施例において、該プロセッサ６３０は中央処理装置（ＣＰＵ：Ｃｅｎｔｒａｌ  Ｐｒｏｃｅｓｓｉｎｇ  Ｕｎｉｔ）であってもよく、該プロセッサ６３０は更に他の汎用プロセッサ、デジタル信号プロセッサ、特定用途向け集積回路、フィールドプログラマブルゲートアレイ又は他のプログラマブルロジックデバイス、個別ゲート又はトランジスタロジックデバイス、個別ハードウェアコンポーネント等であってもよいと理解すべきである。汎用プロセッサはマイクロプロセッサであってもよく、又は該プロセッサは更にいかなる通常のプロセッサ等であってもよい。
【０１２４】
該メモリ６４０は読み出し専用メモリ及びランダムアクセスメモリを含んでもよく、且つプロセッサ６３０に命令及びデータを提供する。メモリ６４０の一部は更に不揮発性ランダムアクセスメモリを含んでもよい。例えば、メモリ６４０に更に装置タイプ情報が記憶されてもよい。
【０１２５】
実現過程において、上記方法の各内容はプロセッサ６３０におけるハードウェアの集積論理回路又はソフトウェア形式の命令で完了してもよい。本願の実施例に開示される方法の内容は、ハードウェアプロセッサで実行して完了し、又はプロセッサにおけるハードウェア及びソフトウェアモジュールの組み合わせで実行して完了すると直接具現されてもよい。ソフトウェアモジュールがランダムアクセスメモリ、フラッシュメモリ、読み出し専用メモリ、プログラム可能読み出し専用メモリ又は電気消去可能プログラム可能メモリ、レジスタ等の本分野で成熟している記憶媒体に位置してもよい。該記憶媒体がメモリ６４０に位置し、プロセッサ６３０がメモリ６４０における情報を読み取り、そのハードウェアと組み合わせて上記方法の内容を完了する。重複を避けるため、ここで詳細な説明は省略する。
【０１２６】
１つの具体的な実施形態において、ネットワーク機器４００における第１送信ユニット及び第２送信ユニットが図８における出力インターフェース６２０により実現されてもよく、ネットワーク機器４００における受信ユニットが図８における入力インターフェース６１０により実現されてもよい。
【０１２７】
当業者であれば、本明細書に開示される実施例を参照して説明した各例示的なユニット及びアルゴリズムステップは、電子ハードウェア、又はコンピュータソフトウェア及び電子ハードウェアの組み合わせで実現されてもよいと理解される。これらの機能をハードウェアそれともソフトウェア方式で実行するかは、技術案の特定応用及び設計制約条件によって決定される。当業者は各特定応用に対して異なる方法で説明される機能を実現することができるが、このような実現は本願の範囲を超えると見なされるべきではない。
【０１２８】
当業者であれば、説明を容易且つ簡単にするために、上記説明されるシステム、装置及びユニットの具体的な動作過程は、上記方法実施例における対応過程を参照してもよく、ここで詳細な説明は省略すると明確に理解される。
【０１２９】
本願に係るいくつかの実施例において、開示されるシステム、装置及び方法は他の方式で実現されてもよいと理解すべきである。例えば、以上に説明される装置実施例は模式的なものに過ぎず、例えば、該ユニットの区別は論理機能上の区別に過ぎず、実際に実現するとき、他の区別方式を用いてもよく、例えば複数のユニット又はコンポーネントは他のシステムに結合又は統合されてもよく、又はいくつかの特徴は省略してもよく、又は実行しなくてもよい。一方、表示又は検討される相互間の結合又は直接結合又は通信接続はいくつかのインターフェース、装置又はユニットによる間接結合又は通信接続であってもよく、電気、機械又は他の形式であってもよい。
【０１３０】
分離部材として説明される該ユニットは物理的に分離してもよく、物理的に分離しなくてもよく、ユニットとして表示される部材は物理ユニットであってもよく、物理ユニットでなくてもよく、すなわち、一箇所に位置してもよく、複数のネットワークユニットに配置されてもよい。実際の必要に応じて、その一部又は全部のユニットを選択して本実施例案の目的を実現してもよい。
【０１３１】
また、本発明の各実施例において、各機能ユニットは１つの処理ユニットに統合されてもよく、各ユニットは独立して物理的に存在してもよく、２つ又は２つ以上のユニットは１つのユニットに統合されてもよい。
【０１３２】
該機能はソフトウェア機能ユニットの形式で実現され、且つ独立した製品として販売又は使用されるとき、１つのコンピュータ可読記憶媒体に記憶されてもよい。このような理解に基づき、本願の技術案の本質又は従来技術に貢献する部分、又は該技術案の一部はソフトウェア製品の形式で具現されてもよく、該コンピュータソフトウェア製品は、１台のコンピュータ装置（パーソナルコンピュータ、サーバ又はネットワーク機器等であってもよい）に本願の各実施例の全部又は一部のステップを実行させるための複数の命令を含む１つの記憶媒体に記憶される。そして、上記記憶媒体はＵＳＢメモリ、ポータブルハードディスク、読み出し専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスク又は光ディスク等のプログラムコードを記憶できる様々な媒体を含む。
【０１３３】
以上の説明は本願の具体的な実施形態に過ぎず、本願の保護範囲を制限するためのものではなく、当業者が本願に開示される技術的範囲内に容易に想到し得る変更や置換は、いずれも本願の保護範囲内に含まれるべきである。従って、本願の保護範囲は特許請求の範囲に準じるべきである。
【図１】
2020529751.tif 000004
【図２】
2020529751.tif 000005
【図３】
2020529751.tif 000006
【図４】
2020529751.tif 000007
【図５】
2020529751.tif 000008
【図６】
2020529751.tif 000009
【図７】
2020529751.tif 000010
【図８】
2020529751.tif 000011
【手続補正書】
【提出日】令和2年5月26日(2020.5.26)
【手続補正１】
【補正対象書類名】明細書
【補正対象項目名】００９２
【補正方法】変更
【補正の内容】
【００９２】
図５は本願の実施例の端末装置３００の模式的なブロック図である。図５に示すように、該端末装置３００は、
ネットワーク機器から送信された、少なくとも１つの無線ベアラＲＢのうちの各ＲＢがデータコピー伝送機能をイネーブルするかどうかを示すための第１指示情報を受信するための第１受信ユニット３１０と、
該第１指示情報に基づき、該ネットワーク機器へデータを送信するための送信ユニット３２０と、を備える。
【手続補正２】
【補正対象書類名】明細書
【補正対象項目名】０１００
【補正方法】変更
【補正の内容】
【０１００】
選択肢として、本願の実施例において、該送信ユニット３２０は、具体的に、該ＰＤＣＰエンティティが複数の論理チャネルに対応する場合、該ネットワーク機器から送信された、該複数の論理チャネルのうちのデータを伝送するための第１論理チャネルを示すための第２指示情報を受信し、該第１論理チャネルを介して、該ネットワーク機器へ該コピーデータ以外のデータを送信することに用いられる。
【手続補正３】
【補正対象書類名】特許請求の範囲
【補正対象項目名】全文
【補正方法】変更
【補正の内容】
【特許請求の範囲】
【請求項１】
データ伝送方法であって、
端末装置が、ネットワーク機器から送信された第１指示情報を受信し、前記第１指示情報は少なくとも１つの無線ベアラＲＢのうちの各ＲＢがデータコピー伝送機能をイネーブルするかどうかを示すことに用いられることと、
前記端末装置が前記第１指示情報に基づき、前記ネットワーク機器へデータを送信することと、を含むことを特徴とするデータ伝送方法。
【請求項２】
前記端末装置がネットワーク機器から送信された第１指示情報を受信することは、
前記端末装置が、前記ネットワーク機器がメディアアクセス制御ＭＡＣ制御要素ＣＥを介して送信した前記第１指示情報を受信することを含むことを特徴とする請求項１に記載の方法。
【請求項３】
前記第１指示情報は前記各ＲＢの識別子を含んで、前記各ＲＢの識別子は対応するＲＢが前記データコピー伝送機能をイネーブルすることを示すことに用いられ、又は、前記各ＲＢの識別子は対応するＲＢが前記データコピー伝送機能の利用を停止することを示すことに用いられることを特徴とする請求項１又は２に記載の方法。
【請求項４】
前記第１指示情報がビットマップであり、前記ビットマップにおける各ビットが前記各ＲＢに１対１に対応し、前記各ビットの値は対応するＲＢがデータコピー伝送機能をイネーブルするかどうかを示すことを特徴とする請求項１又は２に記載の方法。
【請求項５】
前記端末装置が前記第１指示情報に基づき、前記ネットワーク機器へデータを送信することは、
前記端末装置が、前記第１指示情報に基づき、前記少なくとも１つのＲＢのうちの第１ＲＢが前記データコピー伝送機能をイネーブルすると決定することと、
前記端末装置が前記第１ＲＢに対応するパケットデータ収束プロトコルＰＤＣＰエンティティに対応する複数の論理チャネルを介して、前記ネットワーク機器へコピーデータを送信することと、を含むことを特徴とする請求項１〜４のいずれか１項に記載の方法。
【請求項６】
前記端末装置が前記第１ＲＢに対応するパケットデータ収束プロトコルＰＤＣＰエンティティに対応する複数の論理チャネルを介して、前記ネットワーク機器へコピーデータを送信する前に、前記方法は、更に、
前記ＰＤＣＰエンティティが１つのみの論理チャネルに対応する場合、前記端末装置が前記コピーデータを伝送するための他の少なくとも１つの論理チャネルを示すための第２指示情報を受信することを含むことを特徴とする請求項５に記載の方法。
【請求項７】
前記端末装置が前記第１指示情報に基づき、前記ネットワーク機器へデータを送信することは、
前記端末装置が、前記第１指示情報に基づき、前記少なくとも１つのＲＢのうちの第１ＲＢが前記データコピー伝送機能の利用を停止すると決定することと、
前記端末装置が前記第１ＲＢに対応するＰＤＣＰエンティティに対応する論理チャネルを介して、前記ネットワーク機器へコピーデータ以外のデータを送信することと、を含むことを特徴とする請求項１〜４のいずれか１項に記載の方法。
【請求項８】
前記端末装置が前記第１ＲＢに対応するＰＤＣＰエンティティに対応する論理チャネルを介して、前記ネットワーク機器へコピーデータ以外のデータを送信することは、
前記ＰＤＣＰエンティティが複数の論理チャネルに対応する場合、前記端末装置が前記ネットワーク機器から送信された、前記複数の論理チャネルのうちのデータを伝送するための第１論理チャネルを示すための第２指示情報を受信することと、
前記端末装置が前記第１論理チャネルを介して前記ネットワーク機器へ前記コピーデータ以外のデータを送信することと、を含むことを特徴とする請求項７に記載の方法。
【請求項９】
端末装置であって、
ネットワーク機器から送信された、少なくとも１つの無線ベアラＲＢのうちの各ＲＢがデータコピー伝送機能をイネーブルするかどうかを示すための第１指示情報を受信するための第１受信ユニットと、
前記第１指示情報に基づき、前記ネットワーク機器へデータを送信するための送信ユニットと、を備えることを特徴とする端末装置。
【請求項１０】
前記第１受信ユニットは、具体的に、
前記ネットワーク機器がメディアアクセス制御ＭＡＣ制御要素ＣＥを介して送信した前記第１指示情報を受信することに用いられることを特徴とする請求項９に記載の端末装置。
【請求項１１】
前記第１指示情報がビットマップであり、前記ビットマップにおける各ビットが前記各ＲＢに１対１に対応し、前記各ビットの値は対応するＲＢがデータコピー伝送機能をイネーブルするかどうかを示すことを特徴とする請求項９又は１０に記載の端末装置。
【請求項１２】
前記送信ユニットは、具体的に、
前記第１指示情報に基づき、前記少なくとも１つのＲＢのうちの第１ＲＢが前記データコピー伝送機能をイネーブルすると決定し、
前記第１ＲＢに対応するパケットデータ収束プロトコルＰＤＣＰエンティティに対応する複数の論理チャネルを介して、前記ネットワーク機器へコピーデータを送信することに用いられることを特徴とする請求項９〜１１のいずれか１項に記載の端末装置。
【請求項１３】
前記送信ユニットは、具体的に、
前記第１ＲＢに対応するＰＤＣＰエンティティに対応する論理チャネルを介して、前記ネットワーク機器へコピーデータ以外のデータを送信することに用いられることを特徴とする請求項９〜１２のいずれか１項に記載の端末装置。
【請求項１４】
前記送信ユニットは、具体的に、
前記ＰＤＣＰエンティティが複数の論理チャネルに対応する場合、前記端末装置が前記ネットワーク機器から送信された、前記複数の論理チャネルのうちのデータを伝送するための第１論理チャネルを示すための第２指示情報を受信し、
前記第１論理チャネルを介して、前記ネットワーク機器へ前記コピーデータ以外のデータを送信することに用いられる請求項１３に記載の端末装置。
【請求項１５】
前記送信ユニットは、具体的に、
前記ＰＤＣＰエンティティが複数の論理チャネルに対応する場合、前記ネットワーク機器から送信された、前記複数の論理チャネルのうちのデータを伝送するためではない第１論理チャネルを示すための第２指示情報を受信し、
前記複数の論理チャネルのうちの前記第１論理チャネル以外の第２論理チャネルを介して、前記ネットワーク機器へ前記コピーデータ以外のデータを送信することに用いられることを特徴とする請求項１３に記載の端末装置。
【請求項１６】
前記少なくとも１つのＲＢがデータ無線ベアラＤＲＢ及び／又はシグナリング無線ベアラＳＲＢを含むことを特徴とする請求項９〜１５のいずれか１項に記載の端末装置。
【請求項１７】
ネットワーク機器であって、
少なくとも１つの無線ベアラＲＢのうちの各ＲＢがデータコピー伝送機能をイネーブルするかどうかを示すための第１指示情報を端末装置に送信するための第１送信ユニットと、
前記少なくとも１つのＲＢを介して前記端末装置から送信されたデータを受信するための受信ユニットと、を備えることを特徴とするネットワーク機器。
【請求項１８】
前記第１送信ユニットは、具体的に、
メディアアクセス制御ＭＡＣ制御要素ＣＥを介して前記端末装置へ前記第１指示情報を送信することに用いられることを特徴とする請求項１７に記載のネットワーク機器。
【請求項１９】
前記第１指示情報がビットマップであり、前記ビットマップにおける各ビットが前記各ＲＢに１対１に対応し、前記各ビットの値は対応するＲＢがデータコピー伝送機能をイネーブルするかどうかを示すことを特徴とする請求項１７又は１８に記載のネットワーク機器。
【請求項２０】
前記第１指示情報は前記少なくとも１つのＲＢのうちの第１ＲＢが前記データコピー伝送機能をイネーブルすることを示すことに用いられ、前記受信ユニットは、具体的に、
前記第１ＲＢに対応するパケットデータ収束プロトコルＰＤＣＰエンティティに対応する複数の論理チャネルを介して、前記端末装置から送信されたコピーデータを受信することに用いられることを特徴とする請求項１７〜１９のいずれか１項に記載のネットワーク機器。
【国際調査報告】
2020529751.tif 000012
2020529751.tif 000013
2020529751.tif 000014
2020529751.tif 000015